(57)【要約】【課題】  プリント画像に音声を付加することにより、ユーザに新たな趣向性を与えることを可能とする。【解決手段】  操作手段８によりユーザが選択した合成画像及び音声の組み合わせに基づき、プリンタ７により画像をカード１２のプリント領域３３にプリントするとともに、操作手段８によりユーザが選択した音声をカード１２の録音機構３４に録音し、このように加工されたカード１２を取り出し機構９により取り出し口からユーザに供する。【選択図】  図１
2006205385.tif 000002
【特許請求の範囲】
【請求項１】
撮影録音装置を備え、前記撮影録音装置により加工されたカードをユーザに提供するカード作成システムであって、
前記カードは、
録音機構と、
前記録音機構に記憶された音声を再生する再生機構と、
画像のプリント領域と
を含み、
前記撮影録音装置は、
被写体を撮影する撮影手段と、
前記撮影手段により撮影された画像を記憶する画像記憶手段と、
音声を集音する集音手段と、
前記集音手段により集音された音声を記憶する音声記憶手段と、
前記画像記憶手段に記憶された前記画像をプリントする出力手段と、
前記画像記憶手段に記憶された前記画像のうちの少なくとも１つの前記画像と、前記音声記憶手段に記憶された前記音声のうちの少なくとも１つの前記音声との組み合わせをユーザが選択するための操作手段と、
前記操作手段によりユーザが選択した前記画像及び前記音声の組み合わせに基づき、前記出力手段により前記画像を前記カードの前記プリント領域にプリントするとともに、前記音声を前記カードの前記録音機構に録音する動作を制御する制御手段と
を含むことを特徴とするカード作成システム。
【請求項２】
前記音声記憶手段に録音された前記音声を再生する音声再生手段を更に含み、
前記音声記憶手段は、複数の前記音声を記憶可能に構成されており、
前記操作手段は、前記音声再生手段により再生された複数の前記音声のうちから少なくとも１つの前記音声をユーザが選択可能に構成されており、
前記制御手段は、前記操作手段により選択された少なくとも１つの前記音声を前記カードの前記録音機構に録音することを特徴とする請求項１に記載のカード作成システム。
【請求項３】
撮影録音装置を備え、前記撮影録音装置により加工されたカードをユーザに提供するカード作成システムであって、
前記カードは、
録音機構と、
前記録音機構に記憶された音声を再生する再生機構と、
画像のプリント領域と
を含み、
前記撮影録音装置は、
被写体を撮影する撮影手段と、
前記撮影手段により撮影された画像を記憶する画像記憶手段と、
複数の音声を記憶する音声記憶手段と、
前記画像記憶手段に記憶された前記画像をプリントする出力手段と、
前記画像記憶手段に記憶された前記画像のうちの少なくとも１つの前記画像と、前記音声記憶手段に録音された前記音声のうちの少なくとも１つの前記音声との組み合わせをユーザが選択するための操作手段と、
前記操作手段によりユーザが選択した前記画像及び前記音声の組み合わせに基づき、前記出力手段により前記画像を前記カードの前記プリント領域にプリントするとともに、前記音声を前記カードの前記録音機構に録音する動作を制御する制御手段と
を含むことを特徴とするカード作成システム。
【請求項４】
前記音声記憶手段に録音された前記音声を再生する音声再生手段を更に含むことを特徴とする請求項３に記載のカード作成システム。
【請求項５】
前記画像記憶手段は、複数の前記画像を記憶可能に構成されており、
前記操作手段は、ユーザが複数の前記画像のうちから少なくとも１つの前記画像を選択可能に構成されており、
前記制御手段は、前記操作手段により選択された少なくとも１つの前記画像を、前記出力手段により前記プリント領域にプリントする制御を行うことを特徴とする請求項１〜４のいずれか１項に記載のカード作成システム。
【請求項６】
複数のフレーム画像を記憶するフレーム画像記憶手段を更に含み、
前記操作手段は、ユーザが複数の前記フレーム画像から少なくとも１つの前記フレーム画像を選択可能に構成されており、
前記制御手段は、前記出力手段により前記プリント領域にプリントする制御を行うことを特徴とする請求項１〜５のいずれか１項に記載のカード作成システム。
【発明の詳細な説明】
【技術分野】
【０００１】
本発明は、人物等を撮影した画像をカードにプリントし、当該カードをユーザに提供するカード作成システムに関する。
【背景技術】
【０００２】
従来より、ユーザの姿等を撮影した画像を装飾用のフレーム画像等と合成してシール等にプリントし、当該シールをユーザに提供する、いわゆる「プリントクラブ」装置が開発されている。
【０００３】
【特許文献１】特開２０００−１６３０８３号公報
【発明の開示】
【発明が解決しようとする課題】
【０００４】
従来のプリントクラブ装置では、ユーザに提供されるのは飽くまで撮影画像をプリントしたシールのみであった。近時では、更なる趣向性を求めて、例えば特許文献１に示すように、プリントクラブ装置にいわゆるカラオケ機能を付加し、ユーザの歌唱力に応じて付加する装飾用のフレーム画像を変えるシステムも開発されているが、更に質の異なる機能を付加された新たなシステムの案出が模索されている。
【０００５】
本発明は、上記の課題に鑑みてなされたものであり、プリント画像に音声を付加することにより、ユーザに新たな趣向性を与えることを可能とするカード作成システムを提供することを目的とする。
【課題を解決するための手段】
【０００６】
本発明のカード作成システムＡは、撮影録音装置を備え、前記撮影録音装置により加工されたカードをユーザに提供するカード作成システムであって、前記カードは、録音機構と、前記録音機構に記憶された音声を再生する再生機構と、画像のプリント領域とを含み、前記撮影録音装置は、被写体を撮影する撮影手段と、前記撮影手段により撮影された画像を記憶する画像記憶手段と、音声を集音する集音手段と、前記集音手段により集音された音声を記憶する音声記憶手段と、前記画像記憶手段に記憶された前記画像をプリントする出力手段と、前記画像記憶手段に記憶された前記画像のうちの少なくとも１つの前記画像と、前記音声記憶手段に記憶された前記音声のうちの少なくとも１つの前記音声との組み合わせをユーザが選択するための操作手段と、前記操作手段によりユーザが選択した前記画像及び前記音声の組み合わせに基づき、前記出力手段により前記画像を前記カードの前記プリント領域にプリントするとともに、前記音声を前記カードの前記録音機構に録音する動作を制御する制御手段とを含む。
【０００７】
本発明のカード作成システムＡの一態様では、前記音声記憶手段に録音された前記音声を再生する音声再生手段を更に含み、前記音声記憶手段は、複数の前記音声を記憶可能に構成されており、前記操作手段は、前記音声再生手段により再生された複数の前記音声のうちから少なくとも１つの前記音声をユーザが選択可能に構成されており、前記制御手段は、前記操作手段により選択された少なくとも１つの前記音声を前記カードの前記録音機構に録音する。
【０００８】
本発明のカード作成システムＢは、撮影録音装置を備え、前記撮影録音装置により加工されたカードをユーザに提供するカード作成システムであって、前記カードは、録音機構と、前記録音機構に記憶された音声を再生する再生機構と、画像のプリント領域とを含み、前記撮影録音装置は、被写体を撮影する撮影手段と、前記撮影手段により撮影された画像を記憶する画像記憶手段と、複数の音声を記憶する音声記憶手段と、前記画像記憶手段に記憶された前記画像をプリントする出力手段と、前記画像記憶手段に記憶された前記画像のうちの少なくとも１つの前記画像と、前記音声記憶手段に録音された前記音声のうちの少なくとも１つの前記音声との組み合わせをユーザが選択するための操作手段と、前記操作手段によりユーザが選択した前記画像及び前記音声の組み合わせに基づき、前記出力手段により前記画像を前記カードの前記プリント領域にプリントするとともに、前記音声を前記カードの前記録音機構に録音する動作を制御する制御手段とを含む。
【０００９】
本発明のカード作成システムＢの一態様では、前記音声記憶手段に録音された前記音声を再生する音声再生手段を更に含む。
【００１０】
本発明のカード作成システムＡ，Ｂの一態様では、前記画像記憶手段は、複数の前記画像を記憶可能に構成されており、前記操作手段は、ユーザが複数の前記画像のうちから少なくとも１つの前記画像を選択可能に構成されており、前記制御手段は、前記操作手段により選択された少なくとも１つの前記画像を、前記出力手段により前記プリント領域にプリントする制御を行う。
【００１１】
本発明のカード作成システムＡ，Ｂの一態様では、複数のフレーム画像を記憶するフレーム画像記憶手段を更に含み、前記操作手段は、ユーザが複数の前記フレーム画像から少なくとも１つの前記フレーム画像を選択可能に構成されており、前記制御手段は、前記出力手段により前記プリント領域にプリントする制御を行う。
【発明の効果】
【００１２】
本発明のカード作成システムによれば、プリント画像に音声を付加することにより、ユーザに新たな趣向性を与えることが可能となる。
【発明を実施するための最良の形態】
【００１３】
以下、本発明のカード作成システムの具体的な諸実施形態について、図面を参照しながら詳細に説明する。
【００１４】
−第１の実施形態−
（カード作成システムの概略構成）
図１は、第１の実施形態によるカード作成システムの概略構成を示す模式図であり、（ａ）がカードを、（ｂ）が撮影録音装置を示す。
このカード作成システムは、撮影録音装置１１を備え、撮影録音装置１１により加工されたカード１２をユーザに提供するように構成されている。
【００１５】
カード１２は、例えば通常の名刺やクレジットカード等の携帯に便利なサイズのものであり、画像のプリント領域３３と、音声の録音機構３４と、録音機構３４に記憶された音声を再生する再生機構３５とを備えて構成されている。
【００１６】
プリント領域３３は、ユーザにより選択された画像がプリンタ７によりプリントされる領域である。
録音機構３４は、後述の音声メモリ４に記憶され、ユーザが操作手段８を用いて選択した音声を録音するものである。
再生機構３５は、再生ボタン３６及びスピーカ３７を有しており、ユーザが再生ボタン３６を押下することにより録音機構３４に録音された音声をスピーカ３７から再生出力するものである。
【００１７】
撮影録音装置１１は、被写体を撮影する撮影手段１と、撮影手段１により撮影された画像を記憶する画像メモリ２と、ユーザの肉声等の音声を集音する集音マイク３と、集音マイク３により集音された音声を記憶する音声メモリ４と、複数の装飾用のフレーム画像が記憶されたフレーム画像メモリ５と、音声メモリ４に録音された音声を再生して出力するスピーカ６と、画像メモリ２に記憶された画像をプリントアウトするプリンタ７と、画像及び音声をユーザが選択するための操作手段８と、撮影録音装置１１により加工されたカード１２の取り出し口を有する取り出し機構９と、撮影録音装置１１の各種動作を制御するＣＰＵ等の制御回路１０とを備えて構成されている。
【００１８】
画像メモリ２は、撮影手段１により撮影された複数の画像を記憶可能に構成されている。
音声メモリ４は、集音マイク３により集音された複数の音声を記憶可能に構成されている。
フレーム画像メモリ５に記憶されているフレーム画像としては、例えば図２（ａ）〜（ｄ）に示すような各種のフレーム画像２１〜２４がある。
【００１９】
操作手段８は、画像等の表示パネル２５と、ユーザが操作する操作パネル２６とを有して構成されている。
表示パネル２５は、撮影手段１により撮影され、画像メモリ２に記憶されている画像を、フレーム画像メモリ５に記憶されているフレーム画像と共に画面表示する。更に、表示パネル２５は、音声メモリ４に記憶された複数の音声に対応する番号等の識別符号を画面表示する。
操作パネル２６は、図３に示すように、表示パネル２５に表示された画像等を選択するためのカーソル位置等を指定する方向キー３１と、指定した画像等で決定するための決定キー３２等を備えて構成されている。
【００２０】
制御回路１０は、撮影録音装置１１の各種動作を制御する。具体的には、操作手段８によりユーザが選択した合成画像（撮影手段１により撮影された画像及びフレーム画像メモリ５に記憶されているフレーム画像との合成画像）及び音声の組み合わせに基づき、プリンタ７により画像をカード１２のプリント領域３３にプリントするとともに、操作手段８によりユーザが選択した音声をカード１２の録音機構３４に録音し、このように加工されたカード１２を取り出し機構９により取り出し口からユーザに供する動作を制御する。
【００２１】
（カード作成システムの動作）
次に、本実施形態によるカード作成システムの一連の動作について説明する。
図４は、本実施形態によるカード作成システムの動作をステップ順に示すフロー図である。このカード作成システムの一連の動作は、制御回路１０により制御される。
【００２２】
先ず、表示パネル２５に撮影を開始する旨の表示を行い、自動的に或いはユーザの操作パネル２６の操作により、撮影手段１によりユーザの姿等の撮影を開始する（ステップＳ１）。
【００２３】
続いて、撮影回数が所定値に達したか否かを判定する（ステップＳ２）。所定値に達すると、撮影を終了し、表示パネル２５に撮影の終了を表示する（ステップＳ３）。撮影された各画像は画像メモリ２に記憶される。ここで、撮影を終了した後に、例えば撮影された全ての画像を表示パネル２５に表示し、ユーザに当該画像で良いか否かを確認させ、良い場合には次ステップに進み、良くない場合には当該画像を画像メモリ２から消去して、再びステップＳ１〜Ｓ３を実行するように構成しても良い。
【００２４】
続いて、表示パネル２５に音声の録音を開始する旨の表示を行い、自動的に或いはユーザの操作パネル２６の操作により、集音マイク３によりユーザの肉声等の録音を開始する（ステップＳ４）。
【００２５】
続いて、録音回数が所定値に達したか否かを判定する（ステップＳ５）。所定値に達すると、録音を終了し、表示パネル２５に録音の終了を表示する（ステップＳ６）。録音された各音声は音声メモリ４に記憶される。ここで、例えば１回の録音が終了した際に、スピーカ６から当該音声を再生出力して、ユーザに当該音声で良いか否かを確認させ、良い場合には次ステップに進み、良くない場合には当該音声を音声メモリ４から消去して、再びステップＳ４を実行するように構成しても良い。また当然ながら、録音を複数回行わずに１回のみとして構成しても良い。
【００２６】
続いて、撮影された全ての画像を画像メモリ２から読み出して表示パネル２５に表示する（ステップＳ７）。ここで、全ての画像を一斉に表示しても、また例えば画像を１枚ずつ順次表示しても良い。そして、表示パネル２５に表示された画像のうちから、少なくとも１枚の画像を操作パネル２６を用いてユーザが選択する。
【００２７】
続いて、フレーム画像メモリ５に記憶されている各種のフレーム画像を例えば１つずつ順次読み出してゆき、選択された画像と合成した合成画像を順次表示パネル２５に表示する（ステップＳ８）。そして、表示パネル２５に表示された各合成画像のうちから、少なくとも１枚の合成画像を操作パネル２６を用いてユーザが選択する。
【００２８】
続いて、録音された音声を音声メモリ４から順次読み出して、自動的に或いはユーザの操作パネル２６の操作により、順次スピーカ６から再生出力する（ステップＳ９）。再生出力の各音声の番号等を表示パネル２５に表示し、各音声のうちから、少なくとも１種の音声を操作パネル２６を用いてユーザが選択する。
【００２９】
続いて、ユーザにより選択された合成画像をプリンタ７によりカード１２のプリント領域３３にプリントするとともに、ユーザにより選択された音声をカード１２の録音機構３４に録音する（ステップＳ１０）。
【００３０】
しかる後、上記のように加工されたカード１２を取り出し機構９により取り出し口からユーザに供し（ステップＳ１１）、カード作成システムの動作を終了する。
【００３１】
以上説明したように、本実施形態のカード作成システムによれば、プリント画像に音声を付加することにより、ユーザに新たな趣向性を与えることが可能となる。
【００３２】
−第２の実施形態−
本実施形態では、第１の実施形態と同様にカード作成システムを開示するが、ユーザの操作による音声の録音機能を有さず、既に録音・作成されている音声のうちからユーザが所望のものを選択する構成を採る点で、第１の実施形態と相違する。
【００３３】
（カード作成システムの概略構成）
図５は、第２の実施形態によるカード作成システムの撮影録音装置の概略構成を示す模式図である。なお、第１の実施形態の図１と同様の構成部材等については、同符号を記して詳しい説明を省略する。本実施形態では、カード作成システムのカードについては、第１の実施形態における図１（ａ）と同様である。
【００３４】
撮影録音装置３１は、被写体を撮影する撮影手段１と、撮影手段１により撮影された画像を記憶する画像メモリ２と、複数の音声が記憶された音声メモリ３２と、複数の装飾用のフレーム画像が記憶されたフレーム画像メモリ５と、音声メモリ４に録音された音声を再生して出力するスピーカ６と、画像メモリ２に記憶された画像をプリントアウトするプリンタ７と、画像及び音声をユーザが選択するための操作手段８と、撮影録音装置３１により加工されたカード１２の取り出し口を有する取り出し機構９と、撮影録音装置３１の各種動作を制御するＣＰＵ等の制御回路１０とを備えて構成されている。
【００３５】
音声メモリ３１は、録音・作成された複数の音声が記憶されており、ユーザがこれらの音声のうちから所望のものを少なくとも１つ選択できるように構成されている。
【００３６】
（カード作成システムの動作）
次に、本実施形態によるカード作成システムの一連の動作について説明する。
図６は、本実施形態によるカード作成システムの動作をステップ順に示すフロー図である。このカード作成システムの一連の動作は、制御回路１０により制御される。
【００３７】
先ず、表示パネル２５に撮影を開始する旨の表示を行い、自動的に或いはユーザの操作パネル２６の操作により、撮影手段１によりユーザの姿等の撮影を開始する（ステップＳ２１）。
【００３８】
続いて、撮影回数が所定値に達したか否かを判定する（ステップＳ２２）。所定値に達すると、撮影を終了し、表示パネル２５に撮影の終了を表示する（ステップＳ２３）。撮影された各画像は画像メモリ２に記憶される。ここで、撮影を終了した後に、例えば撮影された全ての画像を表示パネル２５に表示し、ユーザに当該画像で良いか否かを確認させ、良い場合には次ステップに進み、良くない場合には当該画像を画像メモリ２から消去して、再びステップＳ１〜Ｓ３を実行するように構成しても良い。
【００３９】
続いて、撮影された全ての画像を画像メモリ２から読み出して表示パネル２５に表示する（ステップＳ２４）。ここで、全ての画像を一斉に表示しても、また例えば画像を１枚ずつ順次表示しても良い。そして、表示パネル２５に表示された画像のうちから、少なくとも１枚の画像を操作パネル２６を用いてユーザが選択する。
【００４０】
続いて、フレーム画像メモリ５に記憶されている各種のフレーム画像を例えば１つずつ順次読み出してゆき、選択された画像と合成した合成画像を順次表示パネル２５に表示する（ステップＳ２５）。そして、表示パネル２５に表示された各合成画像のうちから、少なくとも１枚の合成画像を操作パネル２６を用いてユーザが選択する。
【００４１】
続いて、音声メモリ４に記憶されている複数の音声を当該音声メモリ４から順次読み出して、自動的に或いはユーザの操作パネル２６の操作により、順次スピーカ６から再生出力する（ステップＳ２６）。再生出力の各音声の番号等を表示パネル２５に表示し、各音声のうちから、少なくとも１種の音声を操作パネル２６を用いてユーザが選択する。
なお、音声の再生に際して、音声メモリ４に記憶されている複数の音声を順次に全て再生する代わりに、例えば操作パネル２６に各音声の概要をリストアップし、当該リストに従って所望の音声をユーザの選択により再生するようにしても良い。
【００４２】
続いて、ユーザにより選択された合成画像をプリンタ７によりカード１２のプリント領域３３にプリントするとともに、ユーザにより選択された音声をカード１２の録音機構３４に録音する（ステップＳ２７）。
【００４３】
しかる後、上記のように加工されたカード１２を取り出し機構９により取り出し口からユーザに供し（ステップＳ２８）、カード作成システムの動作を終了する。
【００４４】
以上説明したように、本実施形態のカード作成システムによれば、プリント画像に音声を付加することにより、ユーザに新たな趣向性を与えることが可能となる。
【００４５】
なお、本発明は上記の各実施形態に限定されるものではない。例えば、第１の実施形態による図１に示すカード作成システムにおいて、音声メモリ４に第１の実施形態による音声メモリ３２の機能を付加するようにしても良い。この場合、ユーザは、集音マイク３を用いて音声を音声メモリ４に録音し、当該音声をカード１２に記憶させるようにしても良いし、音声メモリ４に既に記憶されている音声を選択してカード１２に記憶させるようにしても良い。
【００４６】
また、第１及び第２の実施形態では、カード１２のプリント領域３３にユーザが選択した画像を直接プリントする構成を例示したが、例えばカード１２とは別に、従来のプリントクラブ装置のように当該画像をプリントしたシールをユーザに供し、音声の録音されたカード１２のプリント領域３３にユーザ自身により自由に貼付するようにしても良い。
【００４７】
また、カード１２の録音機構３４に集音機能等を持たせ、集音機能により、例えば既に録音された前記音声に新たに音声を重複して録音できるように構成することも可能である。
【図面の簡単な説明】
【００４８】
【図１】第１の実施形態によるカード作成システムの概略構成を示す模式図である。
【図２】各種のフレーム画像を例示する模式図である。
【図３】操作パネルの一構成例を示す模式図である。
【図４】第１の実施形態によるカード作成システムの動作をステップ順に示すフロー図である。
【図５】第２の実施形態によるカード作成システムの概略構成を示す模式図である。
【図６】第２の実施形態によるカード作成システムの動作をステップ順に示すフロー図である。
【符号の説明】
【００４９】
１  撮影手段
２  画像メモリ
３  集音マイク
４，３２  音声メモリ
５  フレーム画像メモリ
６，３７  スピーカ
７  プリンタ
８  操作手段
９  取り出し機構
１０  制御回路
１１，３１  撮影録音装置
１２  カード
２１〜２４  フレーム画像
２５  表示パネル
２６  操作パネル
３１  方向キー
３２  決定キー
３３  プリント領域
３４  録音機構
３５  再生機構
３６  再生ボタン
【図１】
2006205385.tif 000003
【図２】
2006205385.tif 000004
【図３】
2006205385.tif 000005
【図４】
2006205385.tif 000006
【図５】
2006205385.tif 000007
【図６】
2006205385.tif 000008